(57)【特許請求の範囲】
【請求項１】
一軸方向に軸部と前記軸部の外径より大きな外径を有する本体部とを有するプランジャと、
前記本体部が内周面の摺動面で摺動可能であり、少なくとも前記摺動面に対応して設けられた第１外径部及び当該第１外径部より小さい外径で前記摺動面から離れて前記軸部側に設けられた第２外径部を含む外周面を有する筒形状に構成されたコイルボビンと、
前記外周面に巻回されたコイルと、
電磁力による前記プランジャの移動により、前記本体部が前記摺動面を前記一軸方向に摺動できるように、前記プランジャと前記コイルボビンの前記内周面との間に介在する流体と
を具備するソレノイド。
【発明の詳細な説明】
【技術分野】
【０００１】
本発明は、プランジャを吸引する磁気吸引力を増大するソレノイドに関する。
【背景技術】
【０００２】
従来、ソレノイドは液体や気体等の流体を制御するバルブ等の被駆動部材を駆動するものとして利用されている。具体的には、コイルボビンに巻回された銅線に電流を流すことにより磁性部材の吸引面に吸引力としての磁力を発生させ、プランジャがその磁力により吸引面に吸引されることで被駆動部材を駆動するものである。  
しかし、上述した磁気吸引力が小さいなどの問題が指摘されている。例えば磁束を安定してプランジャに収束させるためのサイドリングが設けられる場合があるが、そのサイドリングとプランジャとの間に容器としてのコイルボビンが形成されるために磁束の漏れが大きくなって吸引力が小さくなるという問題があった。  
これに対して、筒状のコイル部材の内筒部に直列に配置される、磁性材料からなるセンタポストと、非磁性材料からなる筒状のスリーブと、及び磁性材料からなる筒状のサイドリングと、前記スリーブ及びサイドリングの内側を軸方向に往復自在に装填されるプランジャとを、備えるソレノイドが提案されている（例えば、特許文献１参照。）。  
また、電磁制御弁のソレノイド装置では、特に、ベローズ式の感圧素子を組み込まれる電磁式容量制御弁では、ソレノイド部を大型化することなく、巻線電流（コイル電流）の変化に対するプランジャー吸引子間の磁気的吸引力の変化率が大きいことが要望されている。  
しかし、プランジャー吸引子間に作用する磁気的吸引力は、閉ループ状磁路において、プランジャを有効に通過する磁力線数が多いほど強くなるが、従来のものでは、磁路構成の構造上、このことについて充分でないため、磁気的吸引力が弱く、巻線電流の変化に対するプランジャ−吸引子間の磁気的吸引力の変化率が小さいという問題があった。  
これに対しては、電磁制御弁のソレノイド構造で、巻線−吸引子−磁路構成外函−磁路構成部材−プランジャ−吸引子を経由する閉ループ状の磁路が形成され、コイルボビンは磁路構成部材の筒状部をプランジャケースとの間に受け入れる段付き部をボビン内周側に有していて段付き部を含むボビン内周壁の全体の肉厚がほぼ同一であることにより、巻線の外寸法を大きくすることなく巻線数を多くでき、励磁力が強くなる電磁制御のソレノイド構造が提案されている（例えば、特許文献２参照。）。  
【先行技術文献】
【特許文献】
【０００３】
【特許文献１】特開１０−８９５２２号公報（段落[００１４]、図１）
【特許文献２】特開２００２−２５０４５６号公報（段落[００１２]、図２）
【発明の概要】
【発明が解決しようとする課題】
【０００４】
しかしながら、特許文献１では、現状のコイルの巻数そのものは変わらないため、吸引力を大きくすることには限界があるという問題がある。  
一方、特許文献２では、段付き部を含むボビン内周壁の全体の肉厚をほぼ同一とすることで巻線設置有効面積を大きくし、その分コイルの巻数を増やしている。しかし、そもそも当該段付き部を形成しない場合は、元々ボビン内周壁の全体の肉厚はほぼ同一であって巻線設置有効面積を増やすことができず、コイルの巻数を増加できないという問題がある。  
そこで、コイルボビン内周壁の肉厚をさらに薄くすることでコイルボビンの外径を小さくし、巻線の外寸法を大きくすることなく導線を巻回できる容積を増やして巻数を増し、磁気による吸引力を増やすことが考えられる。  
しかし、コイルボビンの内周面とプランジャとの間に油等の流体が介在している場合に不用意にコイルボビンの外径を小さくするとその流体による圧力に耐えられなくなりコイルボビンを傷めてしまう可能性があるという問題がある。
また、仮に当該段付き部を形成したとしてもソレノイドの外形を大きくしないために段付き部の大きさによっては殆ど巻数の増加が望めない可能性もある。さらにコイルボビン内周壁の全体の肉厚をほぼ同一とするために、コイルを巻回するコイルボビンの全体外径を上記流体の圧力に耐えられる強度の径にせざるを得ず、必ずしも十分な巻数の増加を望めないという問題がある。  
【０００５】
以上のような事情に鑑み、本発明の目的は、ソレノイドの外形を大きくしないでその巻数を増やし、プランジャがその磁力により吸引面に吸引される吸引力を増大させながらコイルボビンに必要とされる強度を確保できるソレノイドを提供することにある。
【課題を解決するための手段】
【０００６】
上記目的を達成するため、本発明の一形態に係るソレノイドは、プランジャと、コイルボビンと、コイルとを具備する。  
プランジャは、一軸方向に軸部と前記軸部の外径より大きな外径を有する本体部とを有する。  
コイルボビンは、内周面と外周面とを有する筒形状であり、前記内周面は流体を介して前記本体部を前記一軸方向に摺動させて前記流体の圧力を受ける摺動面を有し、前記外周面は少なくとも前記摺動面に対応して設けられた第１外径部とその第１外径部より小さい外径で前記摺動面から離れて当該軸部側に設けられた第２外径部とを有する。  
コイルは、前記第１外径部及び第２外径部に巻回されている。
【０００７】
ここで、プランジャの軸部及び本体部はお互いの中心軸が一致するように一軸（中心軸）方向に並んで接続されている。勿論、軸部と本体部とを一体形成してもよい。
【０００８】
コイルボビンの内周面は、プランジャの軸部が収まる部分と本体部が収まる部分とが形成されており、軸部が収まる部分は先端が閉じられた凹部の内周面であり、当該凹部には軸部を本体部方向に付勢するバネが備えられている。当該軸部が収まる部分の内径は、本体部が収まる部分の内径より小さく形成されており、その内径の差分がプランジャの本体部を磁力により吸引する磁性部となり、吸引面を形成することになる。  
また、本体部が収まる部分の内周面には当該本体部と摺動する摺動面を備えており、少なくともその摺動面と本体との間には油等からなる流体が介在している。したがって、通常コイルボビンは密閉されているので当該油等による圧力をその摺動面に受けることとなる。
【０００９】
コイルボビンの外周面は第１外径部と第２外径部とを有し、その第１外径部は少なくとも内周面の摺動面に対応して形成されており、コイルボビンの中心軸から径外方向に摺動面に重なるように設けられている。さらに第１外径部は当該摺動面に重なる部分から軸部方向に若干延在されており、その延在部分を含め所定の外径以上の径を有している。  
ここで、所定の外径とは、当該摺動面がプランジャとの間にある流体から受ける主に径外方向への力(圧力)に耐えられるだけの厚みを担保できる外径であり、材質やプランジャの径等により当該所定の外径は違ってくる。勿論、当該第１外径部は一定以上の径であればよく全て同じ径である必要は無い。途中で一定の径よりも大きい径の部分があってもよいが、第１外径部の銅線等の導線が巻回される部分は巻数を確保するために所定の径で形成されることが望ましい。
【００１０】
第２外径部は、第１外径部に連続してコイルボビンの外周面として設けられており、コイルボビン及びプランジャの中心軸である一軸方向に平行な方向に摺動面から離間して第２外径部が始まっている。  
当該摺動面から離れた部分（第２外径部）では、流体による径外方向への圧力は掛からないのでコイルボビンの肉厚も第１外径部と同じである必要はなく、第１外径部の外径より小さい外径、即ち上記所定外径より小さい外径であっても強度的には十分である。
【００１１】
コイルは、銅線等の導線がコイルボビンの第１外径部及び第２外径部に複数回巻回され、略円筒形状を有し、その外周面は略面一の円柱外周面となっている。勿論、コイルの外周面は円柱面である必要は無く、多角柱外周面等、プランジャの形状等に基づき多用な外周面であってもよい。
【００１２】
ここで、コイルボビンの第１外径部と第２外径部とに接するところまでコイルが巻回されているので、実質上第１外径部及び第２外径部がコイルの内周面とでき、コイルが第１外径部に対応する第１内径部と第２外径部に対応する第２内径部を有するとできる。  
すなわち、コイルの第２内径部の内径は第１内径部の内径より小さく、その内径方向の第１内径部との差の間部分（第１内径部より内側（中心軸側）に迫り出した部分）にも導線が巻回可能となるのでコイルの単位長さあたりの巻数を増加させることが可能となる。その結果、磁束密度を増大させて磁気による吸引力を増大できることとなる。
【００１３】
例えば、導線をコイルボビンの第１外径部の外径より小さい外径である第２外径部から巻回すると、導線の全長を変えないことでコイル自体の外寸法を小さくし、かつ巻数もコイルの内径部分の方が円周長が小さい分、増やすことが可能である。この場合はコイルの抵抗は変わらないので巻数の増加分がそのまま磁気の吸引力の増加となり得る。  
一方、コイルの外寸法を変えないようにコイルボビンの第２外径部から巻回すると、第１内径部より内側に迫り出した部分にも巻回する分、導線の全長は長くなりその分抵抗が増す。しかし、当該コイルはその内径方向の差分が全て巻数の増大となる。しかも、増えた巻数部分の径が第１内径部の内径より小さいので導線の長さの増加分も小さく、長さが増えたことによるコイル全体の抵抗値の増加も小さいので、当該抵抗の増加分を考慮しても巻数の増加により磁気の吸引力を増大できる。  
【００１４】
以上のコイルに電流を流すと第２内径部で導線の巻数が増加した分、当該コイルで発生する磁束密度が増し、その増えた磁束はコイルボビンの第２外径部側の後述する磁性部の吸引面からの磁気吸引力を増大させることなる。この増大した磁気吸引力によりプランジャの被吸引面はより強力に駆動されることとなり、その駆動力がプランジャに接続された被駆動部材を駆動し、例えば流体制御バルブを駆動することとなる。  
しかも、この磁気吸引力の増強のためにコイルの外寸法を大きくする必要が無く、さらに外径が小さくなっている第２外径部は摺動面から充分離れているので流体による圧力によりコイルボビンを傷める事もなく当該磁気吸引力の増強ができる。  
また、上記電流を止めると、磁気吸引力は消滅しバネによる付勢力によりプランジャはコイルボビンの吸引面から離れるので、その駆動力により流体制御バルブを元に戻すことができる。
【００１５】
前記本体部は、前記摺動面に摺動される摺動部と前記軸部との間に軸部側に向って径が小さくなるようにテーパ部とを設けて、当該軸部と摺動部とを連結してもよい。これにより、コイルで生じた磁束を広い面積で受けることができ、その吸引力をさらに増大できる。
【００１６】
前記第２外径部の外径は、前記摺動部の外径より大きいとしてもよい。これにより、プランジャの被吸引面が無駄なくコイルボビンの磁気吸引力を受けることができるので、磁気吸引力の確実な増強を図れる。
【００１７】
前記コイルボビンは、非磁性部と磁性部とを有し、前記非磁性部は前記外周面の第１及び第２外径部と前記摺動面の少なくとも一部を形成し、前記磁性部は前記テーパ部に合うように形成された吸引面を有するとしてもよい。  
これにより、コイルで生じた磁束が無駄なく磁性部の吸引面から本体部に流れ、また磁性部に入り最後にコイルに戻ることで閉じた磁路を形成することができ、より効率的な磁気による吸引力を生じさせることができる。
【発明の効果】
【００１８】
以上のように、本発明では、ソレノイドの外形を大きくしないでコイルの巻数を増やし、プランジャがその磁力により吸引面に吸引される吸引力を増大させながらコイルボビンに必要とされる強度を確保できる。
【図面の簡単な説明】
【００１９】
【図１】本発明の一実施形態に係るソレノイドの一部断面を示す部分断面図である。
【発明を実施するための形態】
【００２０】
以下、図面を参照しながら、本発明の実施形態を説明する。
図１は、本発明の一実施形態に係るソレノイドを示す部分断面図である。
【００２１】
ソレノイド１は、プランジャ２と、当該プランジャ２を摺動自在に保持する筒状のコイルボビン３と、そのコイルボビン３に巻回されたコイル４と、外側ケース５と、蓋部６とを備える。
【００２２】
プランジャ２は、図１に示すように一軸方向としての中心軸方向に軸部２１と当該軸部２１の径より大きい径の本体部２２と被駆動部材に接続された出力部２３とをその順に備えており、軸部２１は略円柱形で先端には後述するバネの中に挿入される突起を備えている。
【００２３】
また、本体部２２は円柱形の摺動部２２１と径の異なる上述の軸部２１との間を結ぶテーパ部２２２を有し、当該テーパ部２２２は円錐台形状を有し、当該上面には軸部２１が、その底面には摺動部２２１が設けられている。
【００２４】
ここで、テーパ部２２２は後述するコイルボビン３の磁性部の吸引面に磁力により吸引される被吸引面を構成するものである。
【００２５】
コイルボビン３は、図１に示すように磁性部３１と非磁性部３２とを備えており、磁性部３１は軸部側磁性部３１１と本体部側磁性部３１２とを有し、非磁性部３２によって、一体的に構成されている。磁性部３１は、電磁軟鉄（純鉄）等により形成され、非磁性部３２はステンレス鋼等により形成される。当該軸部側磁性部３１１は大径部３１１１と当該大径部３１１１よりは径が小さく本体部２２の外径に僅かに大きい径の中径部３１１２とが一体的に形成されている。
【００２６】
ここで、中径部３１１２から大径部３１１１の一部に掛けて軸部２１の径より僅かに大きい内径の凹部である円柱中空３１１２ａが上述の中心軸Ｏを中心として形成されており、その内部にはバネ３１１２ｃが備えられている。そのバネ３１１２ｃはプランジャ２の軸部２１を介して本体部２２及び出力部２３を外側へ付勢する。
【００２７】
また、中径部３１１２は大径部３１１１と反対側端部にテーパ部２２２に合うように内側に凹んだ吸収面３１１２ｂが中心軸Ｏを中心に形成されている。これにより、軸部側磁性部３１１が磁性化されたときに、磁性部である吸引面３１１２ｂにプランジャ２であるテーパ部２２２が効率よく吸引されることとなる。
【００２８】
さらに本体部側磁性部３１２は、略円筒形状で中径部３１２１と大径部３１２２とが上述の一軸方向に一体的に形成されており、その中径部３１２１は、図１に示すように非磁性部３２の摺動面側にもぐり込んで摺動面Ａの一部の摺動面Ａ１を構成している。
【００２９】
即ち、本体部側磁性部３１２の中径部３１２１ではその外周面を非磁性部３２が覆うように重なっている一方、大径部３１２２の内周面の一部が中径部３１２１の摺動面Ａ１に連続して摺動面Ａ２を構成し、残りの大径部３１２２の内周面には蓋部６の後述するシール部が嵌め込まれている。
【００３０】
また、非磁性部３２は略円筒形であり、その外周面は図１に示すようにコイルボビン３の外周面を形成し、当該外周面は外径の異なる第１外径部３２１と当該第１外径部３２１より１ｍｍ程度外径の小さい第２外径部３２２とを有している。当該第２外径部３２２は、第１外径部３２１と結ぶテーパ状段部３２２１を有している。
【００３１】
さらに非磁性部３２の内周面３２３は、内径が第２外径部３２２から第１外径部３２１の途中までは同じであり、当該第１外径部３２１の途中から上述の中径部３１２１が摺動面Ａ１となるように僅かに内径の大きい部分を有している。その摺動面Ａ１からはなれた内周面３２３との間に本体部側磁性部３１２の中径部３１２１が入り込むように形成されている。
【００３２】
また、上述の外径の大きい第１外径部３２１は、図１に示すようにプランジャ２が摺動する摺動面Ａと軸部側磁性部３１１の吸引面３１１２ｂの先端部Ｂより離れるように大径部３１１１側に延在されている。したがって、テーパ状段部３２２１の位置は吸引面３１１２ｂの先端部Ｂより幾分か大径部３１１１側に寄ることになる。
【００３３】
以上から、上述した摺動部２２１の外周面が油７を介して摺動する摺動面Ａは、図１に示すように、コイルボビン３の内周面である。具体的には、摺動面Ａは非磁性部材３２の内周面の吸引面３１１２ｂの先端部Ｂに接する部分から内径の大きい部分となる手前までの摺動面Ａ３と中径部３１２１の摺動面Ａ１及び大径部３１２２の内周面の摺動面Ａ２により構成される。
【００３４】
コイル４は、コイルボビン３の軸部側磁性部３１１の大径部３１１１と本体部側磁性部３１２の大径部３１２２との間の外周面に導線としての銅線が巻回されたものであり、外周面は当該大径部３１１１，３１２２の外周面より若干小さい一定外径に形成されている。
【００３５】
即ち、コイル４はコイルボビン３の外周面に接するところまで銅線が巻回されているので、実質上第１外径部３２１及び第２外径部３２２がコイル４の内周面とできる。即ち、コイル４は第１外径部３２１に対応する第１内径部４１と第２外径部３２２に対応する第２内径部４２とを有する。テーパ状段部３２２１にはテーパ状段部４２１が対応する。
【００３６】
ここで、図１に示すように第１外径部３２１より第２外径部３２２の方の径が小さいのでコイル４の第１内径部４１の内径に比較して第２内径部４２の内径は小さくなっている。したがって、その内径方向の第１内径部４１との差部分（第１内径部４１より内側に迫り出した部分）にも銅線が巻回可能となるのでコイル４の単位長さあたりの巻数を増加させることが可能となる。その結果、磁束密度を増大させて磁気による吸引力を増大できることとなる。
【００３７】
また、第２内径部４２の内周面は、コイル４で一番内側に迫り出して巻回されているが、図１に示すように磁力により吸引されるテーパ部２２２の中心軸Ｏに対する径外方向の最外端部Ｃよりは径外方向に位置するように形成されている。
【００３８】
コイル４は、図示しない電源部に導通するリード線４３を備えており、当該電源部でコイル４に印加される電流のＯＮ，ＯＦＦが制御される。
【００３９】
外側ケース５は、コイルボビン３として構成された軸部側磁性部３１１の大径部３１１１及び本体側磁性部３１２の大径部３１２２が内部に丁度納まる略筒形状である。また、一端側の内周面には当該大径部３１２２に固定された蓋部６のフランジ部が収まる段差部５１が形成されている。当該外側ケース５はコイルボビン３とネジ５２によって固定される。
【００４０】
蓋部６は、上述のシール部６１とフランジ部６２と端部６３とが上述の一軸方向に一体的に形成されており、シール部６１は溝部６１１に配置されたオーリング６１２によってプランジャ２とコイルボビン３との間の空間を密閉している。また、フランジ部６２を大径部３１２２にネジ６２１で固定することで蓋部６はコイルボビン３に固定される。さらに端部６３に設けられた貫通孔６３１によりプランジャ２の出力部２３のロッド２３１の一部が蓋部６の外に突出しており、当該突出したロッド２３１に図示しない被駆動部材としての油圧制御バルブなどが接続される。
【００４１】
本実施形態のソレノイド１を実験したところ、従来のように第１内径部４１の内径で全て形成した場合に比較して同じ電流を印加しても、プランジャ２を吸引する力である吸引力は、約１４％上昇した。なお、電圧を同じとした場合は、吸引力は同じであるが、ソレノイド１の温度上昇を２１℃下げることができた。
【００４２】
以上のように、コイルボビン３の外周面が第１外径部３２１と当該第１外径部３２１より外径の小さい第２外径部３２２を有することとしたので、コイル４を第２内径部４２で第１内径部４１からさらに内側に巻回することができ、その分、銅線の巻数を増大できる。そして、第２内径部４２で導線の巻数が増加した分、当該コイル４で発生する磁束密度の量が多くなり、その増えた磁力はコイルボビン３の吸引面３１１２ｂからの磁気吸引力を増大させることなる。この増大した磁気吸引力によりプランジャ２のテーパ部２２２はより強力に駆動されることとなり、その駆動力がプランジャ２に接続された被駆動部材を駆動し、例えば流体制御バルブを駆動することとなる。
【００４３】
また、第２内径部４２の第１内径部４１より内径の小さい部分では、銅線の巻回は半径が小さいため、増えた巻数分の銅線の長さも短くてすみ、抵抗値の増加も少なくできる。したがって、コイル４の外寸法を維持することにより増える抵抗値に比べ、第２内径部４２により増加する巻数の方の効果が大きくなり、結果としてコイルボビン３の吸引面３１１２ｂからの磁気吸引力を増大させることができる。即ち、ソレノイド１の外形の大きさを大きくすること無く、コイルボビン３の磁気吸引力を増強できることになる。
【００４４】
また、コイルボビン３の第２外径部３２２は第１外径部３２１に連続してコイルボビンの外周面として設けられており、コイルボビン３及びプランジャ２の中心軸Ｏに平行な方向に摺動面Ａから離間して第２外径部３２２が始まっている。したがって、第２外径部３２２が第１外径部３２１の外径より小さい外径、例えば１ｍｍ程度小さい外径であっても流体としての油７による圧力は掛からず、当該油７による圧力によって、コイルボビン３が損傷することもソレノイド１を大きくすること無く防げる。
【００４５】
さらに非磁性部３２の内周面３２３は、図１に示すように磁力により吸引されるテーパ部２２２の中心軸Ｏに対する径外方向の最外端部Ｃよりは油分僅かに径外方向に位置している。したがって、コイル４により発生する磁力線を受けるテーパ部２２２の表面積を最も有効に利用することができ、磁力による吸引力をソレノイド１の外形を大きくせずに増大できる。
【００４６】
また、第２内径部４２の内周面は、コイル４で一番内側に迫り出して巻回されているが、図１に示すように磁力により吸引されるテーパ部２２２の中心軸Ｏに対する径外方向の最外端部Ｃよりは径外方向に位置するように形成されている。これにより、コイル４により発生する磁力線を最も効率的にテーパ部２２２に進ませることができ、磁力による吸引力をソレノイド１の外形を大きくせずに増大できる。
【００４７】
次に、上述したソレノイド１の動作について図１を参照して説明する。
【００４８】
コイル４にリード線４３を介して電源部により電流が印加されていないときは、コイル４による磁束が発生しないので図１に示すように、吸引面３１１２ｂはテーパ部２２２を吸引できず、バネ３１１２ｃの付勢力によりプランジャ２は図１で見て右側に移動する。このプランジャ２の移動によりロッド２３１も移動し図示しない被駆動部材としての流体制御バルブを例えば閉じる。
【００４９】
次に、電源部によりコイル４にリード線４３を介して電流が印加されると、コイル４による磁束が発生して軸部側磁性部３１１の吸引面３１１２ｂに磁力が発生し、プランジャ２のテーパ部２２２が吸引される。
【００５０】
この磁力による吸引力がバネ３１１２ｃによる付勢力に打ち勝つと、油７を介して摺動部２２１の外周面が非磁性部３２、中径部３１２１及び大径部３１２２の内周面である摺動面Ａに摺動して図１で見て左側に移動する。これによりロッド２３１も一緒に左に移動するので流体制御バルブは開くことになる。
【００５１】
ここで、図１でコイル４の第１内径部４１の内径に比較して内側の第２内径部４２の部分には、巻回された銅線の断面である円が多数入ることからその分、巻数が増大するために発生する磁束密度も増大する。そして、その増大した磁束密度が軸部側磁性部３１１に働き、吸引面３１１２ｂから増大した磁力が発生しプランジャ２のテーパ部２２２に働くこととなる。
【００５２】
また、非磁性部３２がコイルボビン３の大径部３１１１，３１２２を除いた外周面の殆どを覆っているので、磁力線が最も効率的に働くことができ、吸引力をより増大できる。
【００５３】
本発明に係る実施形態は、以上説明した実施形態に限定されず、他の種々の実施形態が考えられる。
【００５４】
例えば上記の実施形態に係るプランジャ２の本体部２２を円柱形の摺動部２２１と径の異なる上述の軸部２１との間を結ぶテーパ部２２２を有するとしたが、当該摺動部２２１と軸部２１とを直接に接続してもいいし、テーパ状ではなく階段状であってもよい。さらには曲面を形成しても良い。ソレノイドの利用形態等により種々の本体部の形状が適応可能である。
【００５５】
また、上記の実施形態ではコイル４の外寸法を維持することとしたが、用いる銅線の全長を一定として、第１外径部３２１と当該第１外径部３２１より外径の小さい第２外径部３２２に巻回してもよい。これにより、コイル４自体の外寸法を小さくしながらコイル４の内径部分の方が円周長が小さい分、巻数も増やすことが可能である。この場合はコイル４の抵抗は変わらないので巻数の増加分がそのまま磁気の吸引力の増加となり得る。
【符号の説明】
【００５６】
２…プランジャ
２１…軸部
２２…本体部
３…コイルボビン
３２１…第１外径部
３２２…第２外径部
４…コイル
７…油（流体に相当）
Ａ…摺動面
Ｏ…中心軸（一軸に相当）
【図１】
0005862100.tif 000002